【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像形成・紙折りシステム
【手続補正２】
【補正対象書類名】明細書
【補正対象項目名】特許請求の範囲
【補正方法】変更
【補正の内容】
【特許請求の範囲】
【請求項１】  原稿読取手段で読み取った広幅および長尺の原稿の画像情報を読み取り、当該サイズにしたがって記録紙に画像を形成する画像形成手段と、指示される所定の紙折り方法で前記記録紙を折る紙折り機と、を相互通信可能に接続した画像形成・紙折りシステムであって、
前記画像形成手段上で設定された紙折り条件を前記紙折り機に送信し、当該紙折り条件にしたがって紙折りを実行させる紙折り制御手段を備えたことを特徴とする画像形成・紙折りシステム。
【請求項２】  さらに、前記広幅長尺の原稿の副走査方向の長さを検知する副走査方向長さ検知手段を備え、
前記紙折り制御手段は、前記副走査方向長さ検知手段で検知した原稿の副走査方向の長さ情報を前記紙折り機に送信し、所定の紙折り方法で長尺の記録紙の紙折りを実行させることを特徴とする請求項１に記載の画像形成・紙折りシステム。
【請求項３】  前記紙折り制御手段は、前記副走査方向長さ検知手段で検知した原稿の副走査方向の長さ情報にしたがって、あらかじめ指定された主走査方向と平行な所定幅に複数回折る回数を算出して前記紙折り機に送信し、長尺の記録紙の紙折りを実行させることを特徴とする請求項２に記載の画像形成・紙折りシステム。
【請求項４】  前記紙折り制御手段は、前記副走査方向長さ検知手段で検知した原稿の副走査方向の長さ情報にしたがって、あらかじめ指定された主走査方向と平行な所定幅に複数回折る回数を算出し、折り面数の最終面が前記所定幅に満たない場合、この端数長さに応じた処理を実行することを特徴とする請求項２または３に記載の画像形成・紙折りシステム。
【請求項５】  前記紙折り制御手段は、前記副走査方向長さ検知手段で検知した原稿の副走査方向の長さ情報が、紙折り可能な最大長さを超過した場合、当該内容をエラー情報として出力することを特徴とする請求項２、３または４に記載の画像形成・紙折りシステム。
【請求項６】  前記紙折り条件は、少なくとも、記録紙のサイズ、紙折り方式、綴じ代、折り幅、スタンプの有無、スタンプの位置を含むことを特徴とする請求項１に記載の画像形成・紙折りシステム。
【手続補正３】
【補正対象書類名】明細書
【補正対象項目名】０００１
【補正方法】変更
【補正の内容】
【０００１】
【発明の属する技術分野】
本発明は、ロール紙を用いて大サイズの記録紙に複写する複写機および当該複写機から排紙される記録紙を自動的に紙折りする紙折り機を備え、特に、原稿スキャン動作のみで得られる情報から、任意の記録紙サイズに対して適切な紙折り動作として制御する画像形成・紙折りシステムに関する。
【手続補正４】
【補正対象書類名】明細書
【補正対象項目名】０００９
【補正方法】変更
【補正の内容】
【０００９】
本発明は、上記に鑑みてなされたものであって、長尺原稿を用いた画像形成および紙折り時において、シンクロカット時であっても紙折り動作を可能にすることにより、紙折りによる生産性を向上させることを目的とする。
【手続補正５】
【補正対象書類名】明細書
【補正対象項目名】００１０
【補正方法】変更
【補正の内容】
【００１０】
【課題を解決するための手段】
上記の目的を達成するために、請求項１にかかる画像形成・紙折りシステムにあっては、原稿読取手段で読み取った広幅および長尺の原稿の画像情報を読み取り、当該サイズにしたがって記録紙に画像を形成する画像形成手段と、指示される所定の紙折り方法で前記記録紙を折る紙折り機と、を相互通信可能に接続した画像形成・紙折りシステムであって、前記画像形成手段上で設定された紙折り条件を前記紙折り機に送信し、当該紙折り条件にしたがって紙折りを実行させる紙折り制御手段を備えたものである。
【手続補正６】
【補正対象書類名】明細書
【補正対象項目名】００１２
【補正方法】変更
【補正の内容】
【００１２】
また、請求項２にかかる画像形成・紙折りシステムにあっては、さらに、前記広幅長尺の原稿の副走査方向の長さを検知する副走査方向長さ検知手段を備え、前記紙折り制御手段は、前記副走査方向長さ検知手段で検知した原稿の副走査方向の長さ情報を前記紙折り機に送信し、所定の紙折り方法で長尺の記録紙の紙折りを実行させるものである。
【手続補正７】
【補正対象書類名】明細書
【補正対象項目名】００１４
【補正方法】変更
【補正の内容】
【００１４】
また、請求項３にかかる画像形成・紙折りシステムにあっては、前記紙折り制御手段は、前記副走査方向長さ検知手段で検知した原稿の副走査方向の長さ情報にしたがって、あらかじめ指定された主走査方向と平行な所定幅に複数回折る回数を算出して前記紙折り機に送信し、長尺の記録紙の紙折りを実行させるものである。
【手続補正８】
【補正対象書類名】明細書
【補正対象項目名】００１６
【補正方法】変更
【補正の内容】
【００１６】
また、請求項４にかかる画像形成・紙折りシステムにあっては、前記紙折り制御手段は、前記副走査方向長さ検知手段で検知した原稿の副走査方向の長さ情報にしたがって、あらかじめ指定された主走査方向と平行な所定幅に複数回折る回数を算出し、折り面数の最終面が前記所定幅に満たない場合、この端数長さに応じた処理を実行するものである。
送信し、長尺の記録紙の紙折りを実行させるものである。
【手続補正９】
【補正対象書類名】明細書
【補正対象項目名】００１８
【補正方法】変更
【補正の内容】
【００１８】
また、請求項５にかかる画像形成・紙折りシステムにあっては、前記紙折り制御手段は、前記副走査方向長さ検知手段で検知した原稿の副走査方向の長さ情報が、紙折り可能な最大長さを超過した場合、当該内容をエラー情報として出力するものである。
【手続補正１０】
【補正対象書類名】明細書
【補正対象項目名】００２０
【補正方法】変更
【補正の内容】
【００２０】
また、請求項６にかかる画像形成・紙折りシステムにあっては、記紙折り条件は、少なくとも、記録紙のサイズ、紙折り方式、綴じ代、折り幅、スタンプの有無、スタンプの位置を含むものである。
【手続補正１１】
【補正対象書類名】明細書
【補正対象項目名】００２２
【補正方法】変更
【補正の内容】
【００２２】
【発明の実施の形態】
以下、本発明にかかる画像形成・紙折りシステムの好適な実施の形態について添付図面を参照し、詳細に説明する。なお、本発明はこの実施の形態に限定されるものではない。
【手続補正１２】
【補正対象書類名】明細書
【補正対象項目名】００４４
【補正方法】変更
【補正の内容】
【００４４】
【発明の効果】
以上説明したように、本発明にかかる画像形成・紙折りシステム（請求項１）によれば、大型サイズの記録紙に画像形成を行なう複写機などの画像形成装置の排紙口に相互通信可能に紙折り機を接続し、原稿読み取り時のサイズ情報および複写機の操作部上で指定された紙折り条件を複写機側から紙折り機側に送信することにより、長尺の複写を行なって紙折りする際に、紙折り機側での紙折り条件の入力や原稿サイズの入力操作といった煩わしい作業が不要になるため、複写機側の原稿スキャン動作のみで紙折りまでの一連の工程が実行され、その生産性が向上する。
【手続補正１３】
【補正対象書類名】明細書
【補正対象項目名】００４５
【補正方法】変更
【補正の内容】
【００４５】
また、本発明にかかる画像形成・紙折りシステム（請求項２）によれば、請求項１において、長尺の複写を行なって紙折りする際に、副走査方向長さ検知手段で検知した原稿の副走査方向の長さ情報および紙折り条件を紙折り機に送信し、所定の紙折り方法で長尺の記録紙の紙折りを実行させることにより、複写機側の送信信号の受信のみで、紙折り機側での紙折り条件の入力や原稿の副走査方向サイズの入力操作といった煩わしい作業が不要になり、かつ紙折り可否が判断可能なため、複写機側の原稿スキャン動作のみで紙折りまでの一連の工程が実行され、その生産性が向上する。
【手続補正１４】
【補正対象書類名】明細書
【補正対象項目名】００４６
【補正方法】変更
【補正の内容】
【００４６】
また、本発明にかかる画像形成・紙折りシステム（請求項３）によれば、請求項２において、長尺の複写を行なって紙折りする際に、副走査方向長さ検知手段で検知した原稿の副走査方向の長さ情報にしたがって、あらかじめ指定された主走査方向と平行な所定幅に複数回折る回数（面数）を算出して紙折り機に送信することにより、紙折り機側での紙折り条件の入力や原稿の副走査方向サイズの入力操作といった煩わしい作業が不要になり、かつ複写機側からの送信情報のみによる紙折りの可否判断が可能になるため、紙折り可能であれば、紙折り機側へ紙折りモードを送出することができる。
【手続補正１５】
【補正対象書類名】明細書
【補正対象項目名】００４７
【補正方法】変更
【補正の内容】
【００４７】
また、本発明にかかる画像形成・紙折りシステム（請求項４）によれば、請求項２または３において、自動的に読み取った原稿の副走査方向長より記録紙長を求め、設定された紙折り幅より紙折り回数を算出し、端数がでた場合にはその長さによって、たとえば１回（面）折りを減らすといった処理内容を適宜変更することが可能なため、紙折り機側における紙折り処理がスムーズになる。
【手続補正１６】
【補正対象書類名】明細書
【補正対象項目名】００４８
【補正方法】変更
【補正の内容】
【００４８】
また、本発明にかかる画像形成・紙折りシステム（請求項５）によれば、請求項２、３または４において、副走査方向長さ検知手段で検知した原稿の副走査方向の長さ情報が、紙折り可能な最大長さを超過した場合にその旨をエラー情報として表示部などを介してユーザに報知するため、その後の処理を迅速に行なうように促すことができる。
【手続補正１７】
【補正対象書類名】明細書
【補正対象項目名】００４９
【補正方法】変更
【補正の内容】
【００４９】
また、本発明にかかる画像形成・紙折りシステム（請求項６）によれば、請求項１において、原稿読み取り時のサイズ情報および複写機の操作部上で指定された紙折り条件（記録紙のサイズ、紙折り方式、綴じ代、折り幅、スタンプの有無、スタンプの位置など）を複写機側から紙折り機側に送信することにより、長尺の複写を行なって紙折りする際に、紙折り機側での紙折り条件の入力や原稿サイズの入力操作といった煩わしい作業が不要になるため、複写機側の原稿スキャン動作のみで紙折りまでの一連の工程が実行され、その生産性が向上する。